【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
エネルギを貯蔵するための装置であって、
気体を受け入れるための圧縮チャンバ手段と、
前記圧縮チャンバ手段に収容された気体を圧縮するための圧縮手段と、
前記圧縮手段によって圧縮された気体から熱エネルギを受け入れて貯蔵するための第１熱貯蔵手段と、
前記第１熱貯蔵手段の作用を受けた後の気体を受け入れるための膨張チャンバ手段と、
前記膨張チャンバ手段内に受け入れられた気体を膨張させるための膨張手段と、
前記膨張手段によって膨張した気体に熱エネルギを伝達するための第２熱貯蔵手段と
を含む装置。
【請求項２】
機械的動力を入力装置から出力装置に伝達するための装置において、
エネルギ貯蔵部であって、
気体を受け入れるための第１圧縮チャンバ手段と、
前記第１圧縮チャンバ手段に収容された気体を圧縮するための第１圧縮手段と、
前記第１圧縮手段によって圧縮された気体から熱エネルギを受け入れて貯蔵するための第１熱貯蔵手段と、
前記第１熱貯蔵手段の作用を受けた後の気体を受け入れるための第１膨張チャンバ手段と、
前記第１膨張チャンバ手段内に受け入れられた気体を膨張させるための第１膨張手段と、
前記第１膨張手段によって膨張した気体に熱エネルギを伝達するための第２熱貯蔵手段と
を含むエネルギ貯蔵部と、
熱機関部であって、
前記第２熱貯蔵手段及び第１熱貯蔵手段と流体により連通する第２圧縮チャンバ手段と、
前記第２圧縮チャンバ手段内に受け入れられた気体を圧縮して前記第１熱貯蔵手段へ移送するための第２圧縮手段と、
前記第１熱貯蔵手段及び前記第２熱貯蔵手段と流体で連通する第２膨張チャンバ手段と、
前記第２膨張チャンバ内に受け入れられた前記第１熱貯蔵手段からの気体を膨張させるための第２膨張手段と
を含む熱機関部と
を備える装置。
【請求項３】
請求項２記載の装置において、
エネルギは、系統から出力される動力が供給される動力より少ない場合、第１動作モードで貯蔵されると共に、前記系統から要求される動力が供給される動力を上回った場合、第２動作モードで自動的に回収される装置。
【請求項４】
請求項３記載の装置において、
前記第１及び第２動作モード間の変更は、自動的に行われるように構成されている装置。
【請求項５】
請求項３記載の装置において、
前記装置は、入出力動力の不均衡に対し自動的に反応するように構成されている装置。
【請求項６】
請求項４又は５記載の装置において、
前記系統は、供給される動力と使われる動力とが平衡である場合、前記第１及び第２熱貯蔵手段を自動的に迂回するように構成されている装置。
【請求項７】
エネルギを貯蔵するための装置であって、
気体を受け入れるための圧縮チャンバ手段と、
前記圧縮チャンバ手段内に収容された気体を圧縮するための圧縮手段と、
前記圧縮手段によって圧縮された気体から熱エネルギを受け入れて貯蔵するための熱貯蔵手段と、
前記熱貯蔵手段の作用を受けた後の気体を受け入れるための膨張チャンバ手段と、
前記膨張チャンバ手段内に受け入れられた気体を膨張させるための膨張手段と、
前記膨張手段によって膨張した気体に熱エネルギを伝達するための熱交換手段と
を含む装置。
【請求項８】
請求項７記載の装置において、
前記熱交換手段は、膨張時、前記膨張手段によって膨張した気体に熱エネルギを伝達するように構成されている装置。
【請求項９】
請求項８記載の装置において、
前記熱交換手段は、前記膨張手段によって実施される別々の膨張ステップ間の１つ又は複数の段階において、前記膨張手段によって膨張した気体に対し熱エネルギを伝達するように構成されている装置。
【請求項１０】
請求項９記載の装置において、
前記膨張チャンバ手段は、直列に接続された複数の膨張チャンバを含み、各膨張チャンバは、それぞれの膨張手段及びそれに対応する熱交換手段を有している装置。
【請求項１１】
請求項７〜１０のいずれか一項に記載の装置は、更に、
前記膨張手段によって膨張した気体に対し熱エネルギを伝達するため、前記熱交換手段に熱結合された蓄冷手段を含む装置。
【請求項１２】
エネルギを貯蔵するための装置であって、
気体を受け入れるための圧縮チャンバ手段と、
前記圧縮チャンバ手段内に収容された気体を圧縮するための圧縮手段と、
前記圧縮手段によって圧縮された気体を冷却するための熱交換手段と、
前記熱交換手段の作用を受けた後の気体を受け入れるための膨張チャンバ手段と、
前記膨張チャンバ手段内に受け入れられた気体を膨張させるための膨張手段と、
前記膨張手段によって膨張した気体に熱エネルギを伝達するための熱貯蔵手段と
を含む装置。
【請求項１３】
請求項１２記載の装置において、
前記熱交換手段は、圧縮時、前記圧縮手段によって圧縮された気体を冷却するように構成されている装置。
【請求項１４】
請求項１３記載の装置において、
前記熱交換手段は、前記圧縮手段によって実施される別々の圧縮ステップ間の１つ又は複数の段階において、前記圧縮手段によって圧縮された気体を冷却するように構成されている装置。
【請求項１５】
請求項１４記載の装置において、
前記圧縮チャンバ手段は、直列に接続された複数の圧縮チャンバを含み、各圧縮チャンバは、それぞれの圧縮手段及びそれに対応する熱交換手段を有している装置。
【請求項１６】
請求項１２〜１５のいずれか一項に記載の装置は、更に、
前記圧縮手段によって圧縮された気体から熱エネルギを受け入れて貯蔵するため、前記熱交換手段に対し熱結合された蓄熱手段を含む装置。
【請求項１７】
請求項１〜１６のいずれか一項に記載の装置において、
前記気体は、大気、窒素、又は希ガスである装置。
【請求項１８】
請求項１〜１７のいずれか一項に記載の装置において、
前記装置は、系の基準圧力が大気圧より低い装置。
【請求項１９】
請求項１〜１７のいずれか一項に記載の装置において、
前記装置は、系の基準圧力が大気圧より高い装置。
【請求項２０】
請求項１〜１９のいずれか一項に記載の装置において、
前記第１及び第２熱貯蔵手段の少なくとも一つには、気体を受け入れるためのチャンバ、及び前記チャンバ内に収納された粒状物質が含まれる装置。
【請求項２１】
請求項２０記載の装置において、
前記粒状物質には、通気性構造を形成するために詰め込まれた固体粒子及び／又は繊維が含まれる装置。
【請求項２２】
請求項２１記載の装置において、
前記固体粒子及び／又は繊維は、熱慣性が小さい装置。
【請求項２３】
請求項２１記載の装置において、
前記固体粒子及び／又は繊維は、金属性である装置。
【請求項２４】
請求項２１記載の装置において、
前記固体粒子及び／又は繊維は、鉱物又はセラミックを含む装置。
【請求項２５】
請求項１又は７〜２４のいずれか一項に記載の装置は、更に、
前記熱貯蔵手段内に貯蔵されたエネルギを回収するための生成手段を含む装置。
【請求項２６】
請求項２５記載の装置において、
前記生成手段は、前記圧縮手段及び前記膨張手段のいずれか一方又は双方に結合されている装置。
【請求項２７】
請求項１又は７〜２５のいずれか一項に記載の装置において、
前記圧縮手段及び前記膨張手段のいずれか一方又は双方は、放出時において逆に動作するように構成されている装置。
【請求項２８】
請求項１〜２７のいずれか一項に記載の装置において、
前記圧縮手段は、圧縮ピストン手段からなり、前記膨張手段は、膨張ピストン手段からなる装置。